(57)【要約】【課題】すすぎタンクに貯留された水を昇温する加熱部を機械室に内蔵する場合であっても、機械室を覆うパネルの温度上昇を抑制することができる洗浄機を提供する。【解決手段】食器洗浄機１は、被洗浄物を洗浄する洗浄室３と洗浄室と区画された機械室４とを有する洗浄機本体２と、機械室を覆うパネル５と、洗浄室に供給された水を貯留する洗浄タンク１５と、洗浄室に供給する水を貯留するすすぎタンク２５と、機械室の内部に配置され、すすぎタンクに貯留された水を昇温するガスブースタ６０と、外部水源からすすぎタンクに水を供給する給水管３５と、を備える。給水管は、すすぎタンクとすすぎタンクに対向配置される左面パネル５Ｃとの間の領域Ｒ１に配置されている。【選択図】図１
2020171552.tif 000002
【特許請求の範囲】
【請求項１】
被洗浄物を洗浄する洗浄室と前記洗浄室と区画された機械室とを有する洗浄機本体と、
前記機械室を覆うパネルと、
前記洗浄室に供給された水を貯留する洗浄タンクと、
前記洗浄室に供給する水を貯留するすすぎタンクと、
前記機械室の内部に配置され、前記すすぎタンクに貯留された水を昇温する加熱部と、
外部水源から前記すすぎタンクに水を供給する給水管と、を備え、
前記給水管は、前記すすぎタンクと前記すすぎタンクに対向配置される前記パネルとの間の領域及び前記加熱部と前記加熱部に対向配置される前記パネルとの間の領域の少なくとも一方の領域に配置されている、洗浄機。
【請求項２】
前記すすぎタンクから流出した水を再び前記すすぎタンクに戻す循環流路と、
前記循環流路に前記すすぎタンクに貯留された水を循環させる循環ポンプと、を更に備え、
前記加熱部は、前記すすぎタンクとは別体として設けられており、前記循環流路に流れる水を加熱する、請求項１記載の洗浄機。
【請求項３】
前記給水管は、前記すすぎタンクに対向配置される前記パネルに直接的又は間接的に接触するように配置されている、請求項１又は２記載の洗浄機。
【発明の詳細な説明】
【技術分野】
【０００１】
本発明は、洗浄機に関する。
【背景技術】
【０００２】
食器類の洗浄を行なう洗浄室の下方に、すすぎタンク及びすすぎポンプ等が収納された機械室が設けられた洗浄機が知られている。例えば、特許文献１には、すすぎタンクに貯留された水を加熱するガスブースタが機械室の内部に配置された洗浄機が開示されている。
【先行技術文献】
【特許文献】
【０００３】
【特許文献１】特開２０１１−５０７３２号公報
【発明の概要】
【発明が解決しようとする課題】
【０００４】
このように機械室の内部にガスブースタ等の加熱部が設けられる構成では、熱源が機械室の内部にあるので、機械室を覆うパネルが熱せられる。熱源によって熱せられたパネルは、洗浄機の外部に熱を放出し、洗浄室が設置された室内の温度を上昇させる。
【０００５】
そこで、本発明は、すすぎタンクに貯留された水を昇温する加熱部を機械室に内蔵する場合であっても、機械室を覆うパネルの温度上昇を抑制することができる洗浄機を提供することを目的とする。
【課題を解決するための手段】
【０００６】
本発明に係る洗浄機は、被洗浄物を洗浄する洗浄室と洗浄室と区画された機械室とを有する洗浄機本体と、機械室を覆うパネルと、洗浄室に供給された水を貯留する洗浄タンクと、洗浄室に供給する水を貯留するすすぎタンクと、機械室の内部に配置され、すすぎタンクに貯留された水を昇温する加熱部と、外部水源からすすぎタンクに水を供給する給水管と、を備え、給水管は、すすぎタンクとすすぎタンクに対向配置されるパネルとの間の領域及び加熱部と加熱部に対向配置されるパネルとの間の領域の少なくとも一方の領域に配置されている。
【０００７】
この構成の洗浄機では、熱源となる加熱部又は熱量を有する水が貯留されたすすぎタンクとこれらに対向するパネルとの間の領域に、外部から供給される比較的冷たい水が流れる給水管が配置されている。このため、加熱部又はすすぎタンクから放射される熱の一部又は全部は、パネルへ到達するまでに給水管を流通する水によって吸熱される。これにより、パネルへの伝熱を低減できる。この結果、すすぎタンクに貯留された水を昇温する加熱部を機械室に内蔵する場合であっても、機械室を覆うパネルの温度上昇を抑制することができる。
【０００８】
本発明に係る洗浄機では、すすぎタンクから流出した水を再びすすぎタンクに戻す循環流路と、循環流路にすすぎタンクに貯留された水を循環させる循環ポンプと、を更に備え、加熱部は、すすぎタンクとは別体として設けられており、循環流路に流れる水を加熱してもよい。
【０００９】
この構成では、加熱部がすすぎタンクとは別体として設けられるので、すすぎタンクにサイズの大きな加熱部が完全に浸漬するような保安水量を設けなくてもよい。一方、この構成では、循環ポンプの空運転を防止するような保安水量を設ける必要があるが、すすぎタンクにおける循環流路の水吸込管を超える程度の容量が確保されればよいので、空焚き防止のための保安水量と比べて少なくすることができる。これにより、すすぎタンクの容量をコンパクトにすることができる。また、加熱部をすすぎタンクとは別体として設けることによって設置レイアウトの自由度が上がるので、狭小な機械室のスペースを有効に利用することができる。この結果、すすぎタンクに貯留された水を昇温する加熱部を機械室に内蔵する場合であっても、全体サイズの増大化を抑制できる。
【００１０】
本発明に係る洗浄機では、給水管は、すすぎタンクに対向配置されるパネルに直接的又は間接的に接触するように配置されていてもよい。なお、ここでいう間接的な接触とは、熱伝導部材を介した接触を意味する。この構成では、すすぎタンクとすすぎタンクに対向配置される一のパネルとの間の領域に給水管を配置する場合において、すすぎタンクに貯留されている水から直接熱を奪うことによってすすぎタンクに貯留されている水の温度を低下させることなく、すすぎタンクから放射される熱を効果的に吸熱することができる。
【発明の効果】
【００１１】
本発明によれば、すすぎタンクに貯留された水を昇温する加熱部を機械室に内蔵する場合であっても、機械室を覆うパネルの温度上昇を抑制することができる。
【図面の簡単な説明】
【００１２】
【図１】図１は、一実施形態に係る食器洗浄機を前方から見た斜視図である。
【図２】図２は、一実施形態に係る食器洗浄機を後方から見た斜視図である。
【図３】図３は、一実施形態に係る食器洗浄機の概略構成を示す断面図である。
【図４】図４は、図４のIV-IVに沿った断面図である。
【図５】図５は、ガスブースタの概略構成図である。
【図６】図６は、すすぎタンク、ガスブースタ、すすぎポンプ、循環ポンプ、及び排気ダクトの配置を示した斜視図である。
【図７】図７は、変形例に係る給水管の配置を示した斜視図である。
【図８】図８は、図７のVIII-VIIIに沿った断面図である。
【発明を実施するための形態】
【００１３】
以下、添付図面を参照して、本発明の好適な実施形態について詳細に説明する。なお、図面の説明において同一又は相当要素には同一符号を付し、重複する説明は省略する。以下の説明における方向は、食器洗浄機（洗浄機）１を前方から見たときの方向、すなわち図１で規定する方向（上下方向、前後方向、左右方向）である。
【００１４】
図１及び図２に示されるように、食器洗浄機１は、ステンレス製のパネル５で覆われた洗浄機本体２を有している。洗浄機本体２は、上側部分２Ａと下側部分２Ｂとに仕切られている。洗浄機本体２の背面側におけるコーナ部には、上側部分２Ａと下側部分２Ｂとに渡って上下方向に延びる支柱６が配置され、支柱６，６間には背面パネル５Ａが配置されている。洗浄機本体２の上側部分２Ａには、箱型のドア７によって区画される洗浄室３が形成されている。このドア７は、ステンレス製の一対の支柱６，６により上下動自在に案内されると共に、前方において水平方向に延在するハンドル８Ａによって上下動する。洗浄機本体２の下側部分２Ｂには、背面パネル５Ａと前面パネル５Ｂ（図３参照）と左面パネル５Ｃと右面パネル５Ｄ（図３参照）とによって覆われる機械室４が形成されている。
【００１５】
ハンドル８Ａの両端には左右一対の回動アーム８Ｂ，８Ｂの先端が固定され、回動アーム８Ｂ，８Ｂはドア７の側面７Ａに沿って斜めに配置されている。回動アーム８Ｂ，８Ｂには、ドア７の側面７Ａに沿って配置されたリンク部８Ｃの一端が回動自在に連結され、リンク部８Ｃの他端は、軸ピン８Ｄを介してドア７に連結されており、ハンドル８Ａの回動運動に対してドア７が上下運動可能となっている。洗浄機本体２の底面の四隅には脚部９が取り付けられている。洗浄機本体２の側面には、食器洗浄機１を操作する操作パネル１０が設けられている。
【００１６】
図３に示されるように、洗浄室３内には、ラックレール１１が着脱自在に配置されており、このラックレール１１上に、飲食後の皿や茶碗等の食器（被洗浄物）が並べられた格子状の食器ラックが載置される。洗浄室３の上部には、放射状に延びる３本のアームからなる上側洗浄ノズル１２Ａと、２本のアームからなる上側すすぎノズル１３Ａとがそれぞれ回転自在に配置されている。同様に、洗浄室３の下部には、放射状に延びる３本のアームからなる下側洗浄ノズル１２Ｂと、２本のアームからなる下側すすぎノズル１３Ｂとがそれぞれ回転自在に配置されている。食器ラックに並べられた食器は、上側洗浄ノズル１２Ａ及び下側洗浄ノズル１２Ｂによって上下から洗浄水が噴射され、上側すすぎノズル１３Ａ及び下側すすぎノズル１３Ｂによって上下からすすぎ水が噴射される。
【００１７】
洗浄室３の底部には、機械室４に突出するように洗浄タンク１５が設けられている。洗浄タンク１５は、洗浄室３の下方において洗浄室３に供給された水を貯留する。洗浄タンク１５内には、洗浄水を所定温度に昇温（維持）するための洗浄水ヒータ１５Ａが設置されている。洗浄室３と洗浄タンク１５との間には、フィルタ１８が着脱自在に配置されている。洗浄タンク１５の前面には、洗浄水吸込口を介して洗浄ポンプ２３が接続されている。洗浄ポンプ２３の吐出口には洗浄水吐出管２１が接続されている。洗浄水吐出管２１は、第一洗浄水吐出管２１Ａと第二洗浄水吐出管２１Ｂとに分岐して、第一洗浄水吐出管２１Ａは上側洗浄ノズル１２Ａに接続され、第二洗浄水吐出管２１Ｂは下側洗浄ノズル１２Ｂに接続されている。
【００１８】
機械室４には、すすぎタンク２５と、すすぎ水吸込管２９と、すすぎポンプ２７と、すすぎ水吐出管３１と、第二すすぎ水吸込管６６と、循環ポンプ７１と、循環流路７３と、ガスブースタ（加熱部）６０と、ガスブースタ６０を囲うカバー部材９０と、排気ダクト９５の一部と、洗浄ポンプ２３、すすぎポンプ２７及び循環ポンプ７１に電力を供給する電源７９と、が配置されている。
【００１９】
すすぎタンク２５は、洗浄室３へ初期給湯として利用される水、又はすすぎ工程におけるすすぎとして利用される水を貯留する。図１及び図４に示されるように、すすぎタンク２５は、機械室４の左面パネル５Ｃと洗浄タンク１５の側面１６との間に配置されている。すすぎタンク２５は、例えば内容量が３リットル〜５リットルの比較的小容量のタンクが採用される。
【００２０】
図５に示されるように、すすぎタンク２５は、水が流入する二つの流入部（第一流入部２５ａ及び第二流入部２５ｂ）と、水が流出する二つの流出部（第一流出部２５ｃ及び第二流出部２５ｄ）と、すすぎタンク２５における貯留量が規定量を超えた水を排出するオーバフロー管（図示せず）と、すすぎタンク２５に貯留された水を全て排出するときに用いられる排出管（図示せず）と、が設けられている。第一流入部２５ａには、外部の水源から水が供給される給水管３５が接続されている。第一流出部２５ｃには、図３に示されるように、すすぎ水吸込管２９を介してすすぎポンプ２７が接続されている。図６に示されるように、すすぎポンプ２７は、循環ポンプ７１の後方かつすすぎタンク２５の右側方に配置されている。すすぎタンク２５は、例えば、ステンレス鋼等の金属材料から形成されている。
【００２１】
すすぎポンプ２７の吐出口には、図３に示されるように、すすぎ水吐出管３１が接続されている。すすぎ水吐出管３１は、第一すすぎ水吐出管３１Ａと第二すすぎ水吐出管３１Ｂとに分岐して、第一すすぎ水吐出管３１Ａは上側すすぎノズル１３Ａに接続され、第二すすぎ水吐出管３１Ｂは下側すすぎノズル１３Ｂに接続されている。第一すすぎ水吐出管３１Ａは、第一洗浄水吐出管２１Ａ内に配置されている。すなわち、第一洗浄水吐出管２１Ａ及び第一すすぎ水吐出管３１Ａは、二重管構造を成している。
【００２２】
図５に示されるように、すすぎタンク２５には、二つのフロートスイッチ（第一フロートスイッチ２５Ｇ及び第二フロートスイッチ２５Ｈ）とセンサ２５Ｉとが設けられている。第一フロートスイッチ２５Ｇは、すすぎタンク２５における満水位を検知する。後段にて詳述するコントローラ５０は、当該第一フロートスイッチ２５ＧのＯＮ／ＯＦＦに基づいて、給水管３５から供給される水のＯＮ／ＯＦＦを制御する供給バルブ３６を制御する。第二フロートスイッチ２５Ｈは、保安水位（循環ポンプ７１の空運転を防止するための保安水量を確保できる水位）を検知する。コントローラ５０は、第二フロートスイッチ２５ＨのＯＮ／ＯＦＦに基づいて、すすぎポンプ２７及び循環ポンプ７１のＯＮ／ＯＦＦを制御する。センサ２５Ｉは、すすぎタンク２５内のすすぎ水の温度を検知する。
【００２３】
図５及び図６に示されるように、循環流路７３は、すすぎタンク２５から流出した水を再びすすぎタンク２５に戻す流路である。より詳細には、循環流路７３は、第二すすぎ水吸込管６６と、第一接続管７３Ｂと、流路管７３Ａと、第二接続管７３Ｃと、を有している。第二すすぎ水吸込管６６は、すすぎタンク２５と循環ポンプ７１とを接続する。第一接続管７３Ｂは、循環ポンプ７１と流路管７３Ａとを接続する。流路管７３Ａは、後段にて詳述するガスブースタ６０の一部を構成する。第二接続管７３Ｃは、流路管７３Ａとすすぎタンク２５とを接続する。循環ポンプ７１は、循環流路７３にすすぎタンク２５に貯留された水を循環させる。すなわち、循環ポンプ７１は、すすぎタンク２５とガスブースタ６０との間で水を循環させる。循環ポンプ７１は、ガスブースタ６０の後方かつすすぎタンク２５の右側方に配置されている。
【００２４】
図１及び図６に示されるように、ガスブースタ６０は、機械室４の左前方に、洗浄タンク１５とは、互いに隣り合うように配置されている。ガスブースタ６０は、ファン６１と、バーナ６２と、熱交換部６３と、流路管７３Ａと、を有している。ファン６１は、ガスブースタ６０を収容するカバー部材９０に形成される吸気口９１から空気を吸気してバーナ６２に燃焼用空気として送り込む。バーナ６２は、外部から電磁バルブを介して供給されるガスに、ファン６１から供給される燃焼用空気を混合させて燃焼させる。すなわち、バーナ６２は、ガスブースタ６０の熱源となる部分である。
【００２５】
熱交換部６３は、バーナ６２から供給される熱と流路管７３Ａを流通する水との間で熱交換が行われる部分である。熱交換部６３は、バーナ６２の上方に配置されている。熱交換部６３に配置される流路管７３Ａは、蛇行状に配置されると共に吸熱フィン（図示せず）が形成されている。すなわち、バーナ６２は、流路管７３Ａを流れる水を加熱する。このように、ガスブースタ６０は、すすぎタンク２５から水を取り込んで、熱交換部６３において昇温させた水をすすぎタンク２５に戻す。
【００２６】
カバー部材９０は、ガスブースタ６０を構成するファン６１、バーナ６２、熱交換部６３、及び流路管７３Ａを収容する。カバー部材９０は、開口部９０ａを有する有底筒状に形成されており、その開口部９０ａが前方を向き、かつ、前面パネル５Ｂによって開口部９０ａが塞がれるように配置されている。カバー部材９０の右側面９０ｂには、ファン６１に空気を取り込む吸気口９１が形成されている。また、カバー部材９０の上面９０ｃには、排気口９２と連通する箱状の接続部９４が設けられている。接続部９４は、排気口９２から排出される排気ガスを排気ダクト９５に誘導する。
【００２７】
図２及び図４に示されるように、排気ダクト９５は、ガスブースタ６０において発生した排気ガスを洗浄機本体２の外部に排出する。排気ダクト９５は、互いに連通する、第一ダクト９５Ａと、第二ダクト９５Ｂと、第三ダクト９５Ｃとを有し、この順番で接続されている。排気ダクト９５は、ステンレス鋼等の材料によって形成されている。第一ダクト９５Ａは、機械室４の左面パネル５Ｃと洗浄タンク１５の側面１６との間に配置され、接続部９４から背面パネル５Ａの外側の第二ダクト９５Ｂまで前後方向に延在する。第二ダクト９５Ｂは、背面パネル５Ａの外面に固定されており、第一ダクト９５Ａから第三ダクト９５Ｃまで左右方向に延在する。第三ダクト９５Ｃは、背面パネル５Ａの外面に固定されており、第二ダクト９５Ｂから背面パネル５Ａの上端近傍まで上下方向に延在する。ガスブースタ６０で発生した排気ガスは、接続部９４、第一ダクト９５Ａ、第二ダクト９５Ｂ、及び第三ダクト９５Ｃの内部をこの順番で流通し、第三ダクト９５Ｃの上端から外部に排出される。
【００２８】
図１及び図４に示されるように、給水管３５は、すすぎタンク２５とすすぎタンク２５に対向する左面パネル５Ｃとの間の領域Ｒ１に、蛇行状に配置されている。給水管３５は、例えば、銅等の材料の熱伝導部材から形成されている。本実施形態では、給水管３５は、アルミ箔テープ（図示せず）によって左面パネル５Ｃに取り付けられる。更に、給水管３５は、左面パネル５Ｃに接触配置され、すすぎタンク２５とは隙間Ｇ１をあけて配置されている。
【００２９】
図１に示されるように、機械室４の右方には、食器洗浄機１の動作全般を制御するコントローラ５０が内蔵された電装ボックス５０Ａが収容されている。
【００３０】
続いて、本実施形態の食器洗浄機１の作用効果について説明する。上記実施形態の食器洗浄機１では、熱源となるガスブースタ６０とこれに対向する左面パネル５Ｃとの間の領域Ｒ１に、外部から供給される比較的冷たい水が流れる給水管３５が配置されている。このため、ガスブースタ６０から放射される熱は、給水管３５を流通する水によって吸熱される。これにより、左面パネル５Ｃへの伝導を低減できる。この結果、すすぎタンク２５に貯留された水を昇温するガスブースタ６０を機械室４に内蔵する場合であっても、機械室４を覆うパネル５の温度上昇を抑制することができる。
【００３１】
上記実施形態の食器洗浄機１では、ガスブースタ６０がすすぎタンク２５とは別体として設けられるので、サイズの大きな加熱部が完全に浸漬するような保安水量を設けなくてもよい。一方、本実施形態の構成では、循環ポンプ７１の空運転を防止するような保安水量を設ける必要があるが、この場合、すすぎタンク２５における循環流路７３の水吸込管６６を超える程度の容量が確保されればよいので、空焚き防止のための保安水量と比べて少なくすることができる。これにより、すすぎタンク２５の容量をコンパクトにすることができる。また、ガスブースタ６０をすすぎタンク２５とは別体として設けることによって設置レイアウトの自由度が上がるので、狭小な機械室４のスペースを有効に利用することができる。この結果、すすぎタンク２５に貯留された水を昇温するガスブースタ６０を機械室４に内蔵する場合であっても、全体サイズの増大化を抑制できる。
【００３２】
上記実施形態の食器洗浄機１では、図４に示されるように、給水管３５は、左面パネル５Ｃに接触した状態で設けられているので、左面パネル５Ｃとの間で熱交換が可能となり、パネル４Ａから熱を奪うことができる。すすぎタンク２５から放射される熱が、これらに対向する左面パネル５Ｃに伝導されることをより確実に抑制できる。また、給水管３５は、すすぎタンク２５からは隙間Ｇ１をあけて配置されているので、すすぎタンク２５に貯留されている水から直接熱を奪うことがない。このため、給水管３５が原因で、すすぎタンク２５に貯留されている水の温度を低下させることはない。
【００３３】
以上、本発明の実施形態について説明してきたが、本発明は必ずしも上述した実施形態に限定されるものではなく、その要旨を逸脱しない範囲で様々な変更が可能である。
【００３４】
上記実施形態では、給水管３５は、すすぎタンク２５とすすぎタンク２５に対向する左面パネル５Ｃとの間の領域Ｒ１に配置される例を挙げて説明したが、この構成に代えて、例えば図７及び図８に示されるように、給水管３５を、ガスブースタ６０を囲うカバー部材９０の左側面９０ｄとガスブースタ６０を囲うカバー部材９０に対向する左面パネル５Ｃとの間の領域Ｒ２に蛇行状に配置してもよい。更に、給水管３５は、上述したような支持部材によって、カバー部材９０の左側面９０ｄに接触配置され、左面パネル５Ｃとは隙間Ｇ２をあけて配置されてもよい。この場合であっても、ガスブースタ６０から放射される熱は、給水管３５を流通する水によって吸熱されるので、左面パネル５Ｃへの伝導を低減できる。この結果、すすぎタンク２５に貯留された水を昇温するガスブースタ６０を機械室４に内蔵する場合であっても、機械室４を覆うパネル５の温度上昇を抑制することができる。
【００３５】
また、上記実施形態では、給水管３５は、すすぎタンク２５とすすぎタンク２５に対向する左面パネル５Ｃとの間の領域Ｒ１に配置される例を挙げて説明したが、この構成に加えて、給水管３５を、ガスブースタ６０を囲うカバー部材９０の左側面９０ｄとこれに対向する左面パネル５Ｃとの間の領域Ｒ２に蛇行状に配置してもよい。すなわち、給水管３５を、上記の領域Ｒ１と領域Ｒ２との両方に配置してもよい。この場合では、より効果的に、機械室４を覆うパネル５の温度上昇を抑制することができる。
【００３６】
また、上記実施形態では、給水管３５は、左面パネル５Ｃに接触配置される例を挙げて説明したが、これに限定されない。例えば、左面パネル５Ｃと給水管３５とは直接接触しなくても、熱伝導性の高い材料によって形成される取付部材を介して固定されてもよい。また、例えば、給水管３５は、熱伝導性の低い材料によって形成される取付部材を介してすすぎタンク２５に固定されてもよい。
【００３７】
また、上記実施形態では、機械室４を覆うパネル５のうち、左面パネル５Ｃの１枚のパネルにのみ給水管３５が接触配置される例を挙げて説明したが、例えば、左面パネル５Ｃ及び背面パネル５Ａの２枚のパネルに接触配置される等、２枚以上のパネルに接触配置されてもよい。
【００３８】
また、上記実施形態及び変形例では、加熱部としてのガスブースタを例に挙げて説明したが、電気エネルギーを熱源とする電気ブースタであってもよい。
【００３９】
上記実施形態及び変形例では、ドア７が上下に移動することで洗浄室３を開放するいわゆるドアタイプの食器洗浄機１を例に挙げて説明したが、例えば、洗浄機本体の前面側にドアが設けられ、回動することで洗浄室を開放するタイプの食器洗浄機や、食器を収容するためのラックを搬送しながら洗浄を行うコンベアタイプの食器洗浄機等にも適用することができる。
【００４０】
本発明は、発明の趣旨を逸脱しない範囲で、上記実施形態、上記変形例及びその他の変形例として記載の内容を適宜組み合わせてもよい。
【符号の説明】
【００４１】
１…食器洗浄機（洗浄機）、２…洗浄機本体、３…洗浄室、４…機械室、５…パネル、５Ｃ…左面パネル、１５…洗浄タンク、２３…洗浄ポンプ、２７…すすぎポンプ、３５…給水管、６０…ガスブースタ（加熱部）、６１…ファン、６２…バーナ、６３…熱交換部、７１…循環ポンプ、７３…循環流路、９０…カバー部材、９０ｄ…左側面。
【図１】
2020171552.tif 000003
【図２】
2020171552.tif 000004
【図３】
2020171552.tif 000005
【図４】
2020171552.tif 000006
【図５】
2020171552.tif 000007
【図６】
2020171552.tif 000008
【図７】
2020171552.tif 000009
【図８】
2020171552.tif 000010